(57)【要約】【課題】形成に係わる作業が簡便でありながら、昼光下における高い視認性を確保できる発光情報表示板を提供する。【解決手段】遮光板１がＬ値３０以下の色調となされ、遮光板１により光源２が配置された箇所以外における光の反射が抑えられ、昼光下における高い視認性が確保できるが、遮光板１にＬＥＤ２を挿通させるのに形成が容易なパンチング孔１１が用いられていることから、遮光板１ひいては発光情報表示板１０の形成に係わる作業は簡便なものとなり得る。【参照図】        図３【特許請求の範囲】
【請求項１】
回路基板にドットマトリックス状にＬＥＤが取り付けられ、該ＬＥＤの発光により情報を表示するものであって、前記回路基板と間隔をおいて遮光板が配置され、該遮光板に穿設されたパンチング孔に前記ＬＥＤが挿通され、前記遮光板の前面側の色調がＪＩＳ規格Ｚ８７３０に規定されるＬａｂ系によるＬ値３０以下の範囲となされたことを特徴とする発光情報表示板。
【請求項２】
更にヒータが設けられ、該ヒータは前記遮光板に熱を伝導可能となされていることを特徴とする請求項１に記載の発光情報表示板。
【発明の詳細な説明】
【技術分野】
【０００１】
本発明は、道路周辺に設置され、発光により道路利用者に情報を伝達する発光情報表示板に関するものである。
【背景技術】
【０００２】
前面側に表示部を設けた内照式の情報表示板や、ＬＥＤ等の発光体をドットマトリックス状に配置した情報表示板は極一般的に用いられてきており、それらに係わる発明は種々のものが開示されてきている。  
【０００３】
例えば特許文献１には、間隔を置いて平行に配列された前板と後板とで形成される空間に、複数個からなる発光素子の各発光部が配置され、かつ、前記前板に、その平面に沿って光透過性パターン部と背景部とが形成されるとともに、前記後板の前面における、前記光透過性パターン部の後方位置に、パターン部表示用有色反射面が形成されて構成される発光式表示盤が開示されている。
【０００４】
また特許文献２には、パネルと、このパネルに装着された複数個のＬＥＤと、これらＬＥＤの上方を覆うようパネルから突出して取付けられたルーバと、このルーバに設けられた融雪用のヒータとを備えたものにおいて、上記ヒータはルーバのＬＥＤ部を除く先端側にのみ設けられていることを特徴とする表示装置が開示されている。
【０００５】
【特許文献１】実開平６−６３６１４号公報
【特許文献２】特開平５−１７９６２０号公報
【発明の開示】
【発明が解決しようとする課題】
【０００６】
しかしながら、特許文献１に記載の如き発光式表示盤では、昼光下において発光素子により文字等の情報表示を行おうとすると、有色反射面により反射された光が干渉することで、表示が不明瞭となりがちなものであった。
【０００７】
また特許文献２に記載の如き表示装置では、ルーバにより昼光下での視認性は確保できるものの、ＬＥＤ列毎にルーバを取り付ける必要があり、とりわけ情報表示板が大型のものとなる場合には形成に係わる作業が極めて煩雑なものとなっていた。
【０００８】
本発明は上記の如き課題に鑑みてなされたものであり、形成に係わる作業が簡便でありながら、昼光下における高い視認性を確保できる発光情報表示板を提供せんとするものである。
【課題を解決するための手段】
【０００９】
上記目的を達成するため、本発明は以下のような構成としている。すなわち、本発明に係わる発光情報表示板は、回路基板にドットマトリックス状にＬＥＤが取り付けられ、該ＬＥＤの発光により情報を表示するものであって、前記回路基板と間隔をおいて遮光板が配置され、該遮光板に穿設されたパンチング孔に前記ＬＥＤが挿通され、前記遮光板の前面側の色調がＪＩＳ規格Ｚ８７３０に規定されるＬａｂ系によるＬ値３０以下の範囲となされたことを特徴とするものである。
【００１０】
また、更にヒータが設けられ、該ヒータは前記遮光板に熱を伝導可能となされていることを特徴とするものである。
【発明の効果】
【００１１】
請求項１に記載の本発明に係わる発光情報表示板によれば、Ｌ値３０以下の色調となされた遮光板によりＬＥＤが配置された箇所以外における光の反射が抑えられ、昼光下における高い視認性が確保できるが、遮光板にＬＥＤを挿通させるのに形成が容易なパンチング孔が用いられていることから、遮光板ひいては発光情報表示板の形成に係わる作業は簡便なものとなり得る。
【００１２】
また請求項２の発明によれば、複雑なルーバやブレード等を用いることなく発光情報表示板に付着した雪氷を融解させる機能を具備させることができ好ましい。
【発明を実施するための最良の形態】
【００１３】
本発明に係わる最良の実施の形態について、図面に基づき以下に具体的に説明する。
【００１４】
図１は、本発明に係わる発光情報表示板の、実施の一形態を示す説明図である。発光情報表示板１０は、周囲にアルミニウム製の押出形材からなる左右縦枠体３１及び上下横枠体３２が枠組みされて枠体３が形成され、枠体３の内部には前面側が黒色に塗装された遮光板１が取り付けられている。遮光板１には、ドットマトリックス状にパンチング孔１１が多数穿設され、パンチング孔１１にはＬＥＤ（本図においては図示せず）が挿通されている。かかるパンチング孔１１に挿通されたＬＥＤが必要箇所で発光することで、発光情報表示板１０は文字や記号等の情報を発光により表示することができる。また遮光板１及びＬＥＤの前面側には、ポリカーボネート樹脂からなる赤色透明な前面板５が配置されている。尚、前面板５は背後から枠体３に取り付けられるものであるが、本図においては便宜上前面からの取り付けとしている。更に、発光情報表示板１０の背面側には、取り付け用の取付金具７がスポット溶接により固着されている。
【００１５】
図２は、発光情報表示板１０の左上の詳細を示す正面図である。遮光板１に穿設されたパンチング孔１１には二体のＬＥＤ２Ａ及び２Ｂが挿通され、ＬＥＤ２ＡとＬＥＤ２Ｂとの発光時の色調が異なるものとされることで、二色の色調による情報表示が可能となされている。遮光板１はパンチング孔１１を施して塗装やシートの貼着等で黒色等ＪＩＳ規格Ｚ８７３０に規定されるＬａｂ系によるＬ値３０以下の範囲の色調とするのみで形成することができ、形成に係わる作業は簡便なものとなり得る。
【００１６】
図３は、図１のＡ−Ａ断面を示す断面図である。左右縦枠体３１は断面Ｌ字型で中空のボックス形状で、断面Ｌ字型の縦辺と横辺とを分割するリブ３１１が配設されることで、中空部が側面側の中空部３１２及び前面側の中空部３１３の二つに分割されており、前面側の中空部３１３の端縁には情報表示面から斜めに立ち上がるようになされた縁取り部３１４が設けられている。該ボックス形状により左右縦枠体３１は高い剛性が確保されている。前面側の中空部３１３の背面側には、クランク形状でアルミニウム製の押出形材からなる取付部材３３が設けられ、取付部材３３は前側板３３１と後側板３３２とが前後に間隔をおいて配置され、前側板３３１と後側板３３２とが縦板３３３により連結されて一体となされたものである。前面側の中空部３１３と前側板３３１との間に前面板５が挟まれてビスＢ１によりビス止めされることで前面板５が左右縦枠体３１に固定される。尚、ビスＢ１はスペーサーＳに挿通されてビス止めされることで、スペーサーＳにより前面側の中空部３１３と前側板３３１との間の間隔が一定に保たれ、ビス止めのトルクによる前面板５の変形の発生が抑制されている。
【００１７】
更に、取付部材３３の後側板３３２に、遮光板１とＬＥＤ２が取り付けられた回路基板４とが取り付けられる。遮光板１は後側板３３２の前面側に、回路基板４は後側板３３２の背面側にそれぞれビスＢ２、Ｂ３によりビス止めされることで、後側板３３２の厚み分だけ遮光板１と回路基板４との間に間隔が設けられ、ＬＥＤ２が遮光板１のパンチング孔１１に挿通されても回路基板４に遮光板１が接することがなく、遮光板１の接触による絶縁破壊や、後述するヒータからの熱による悪影響を回避できるようになされている。最後に、左右縦枠体３１と上下横枠体（本図においては図示せず）にアルミニウム板からなる背面板６がビスＢ４によりビス止めされて、枠体３、前面板５及び背面板６によりＬＥＤ２や発光に係わる機器類への水分や塵埃等の侵入が防止されるようになされる。
【００１８】
また、取付部材３３の前後に間隔をおいて配置された前側板３３１と後側板３３２とにより遮光板１やＬＥＤ２と、前面板５とが前後に隔てられて、ＬＥＤ２が発する熱による前面板５の変形や、ＬＥＤ２から発せられる光が不自然になることを防ぐようになされている。
【００１９】
図４は、本発明に係わる発光情報表示板の、変形の一例を示す上方からの断面図である。図３と同様に、前面板５と遮光板１及びＬＥＤ２とが取付部材３３により前後に間隔をおいて配置されているが、取付部材３３の後側板３３２を用いて遮光板１に熱が伝導されるようにヒータ８が取り付けられ、ヒータ８からの熱が遮光板１と前面板５との間の空間Ｋに放出され、空間Ｋから前面板５に伝導されることで、前面板５に付着した雪氷が融解されて、雪氷により情報表示が阻害されることを防止できる。
【００２０】
また本実施形態の如き構造とすることで、前面板５によりＬＥＤ２や回路基板４への水分や塵埃等の侵入が防止され、ＬＥＤ２や回路基板４、更にはＬＥＤ２と回路基板４との取り付け部分付近でシーリング材等を用いて密閉構造を設ける必要がなくなり、形成に係わる材料及び作業を格段に低減することができる。
【図面の簡単な説明】
【００２１】
【図１】本発明に係わる発光情報表示板の、実施の一形態を示す斜視図である。
【図２】図１の、左上隅部を拡大した正面図である。
【図３】図１のＡ−Ａ断面図である。
【図４】本発明に係わる発光情報表示板の、変形の一例を示す上方からの断面図である。
【符号の説明】
【００２２】
１    遮光板
１１  パンチング孔
２    ＬＥＤ
３    枠体
３１  左右縦枠体
４    回路基板
５    前面板
８    ヒータ
１０  発光情報表示板
【図１】
2006071853.tif 000002
【図２】
2006071853.tif 000003
【図３】
2006071853.tif 000004
【図４】
2006071853.tif 000005